(57)【要約】      （修正有）【課題】電磁誘導裝置、電磁誘導充電器、及び電磁誘導非常灯を提供する。【解決手段】電磁誘導装置は電気製品の電力供給及び充電に用いられ、送信モジュールと、受信モジュールを備え、送信モジュール及び受信モジュールはそれぞれ独立した第一筐体１０２及び第二筐体１０３に内設され、送信モジュールの出力端子と受信モジュールの入力端子にはそれぞれ対応する誘導コイル１０４と棒磁石１０５が設けられ、第一筐体１０２と第二筐体１０３は凹凸の組み合わせによって棒磁石１０５を誘導コイル１０４に入れさせることで、受信モジュールの誘導コイル１０４又は棒磁石１０５を、送信モジュールの棒磁石１０５又は誘導コイル１０４による磁場に置き、且つ誘導電圧を発生させる。誘導コイル及び棒磁石における銅線の使用量が減少することで、製品の電磁誘導装置の小体積、軽重量、低コストにつながる。また、電磁誘導装置に対応する電磁誘導充電器と電磁誘導非常灯を開示する。【選択図】図１ｂ
0003195251.tif 000002
【実用新案登録請求の範囲】
【請求項１】
送信モジュールと、受信モジュールを備え、当該送信モジュール及び当該受信モジュールはそれぞれ独立した第一筐体及び第二筐体に内設され、当該送信モジュールの出力端子と当該受信モジュールの入力端子にはそれぞれ対応する誘導コイルと棒磁石が設けられ、当該第一筐体と当該第二筐体は凹凸の組み合わせによって当該棒磁石を当該誘導コイルに入れることで、当該受信モジュールの当該誘導コイル又は棒磁石を、当該送信モジュールの当該棒磁石又は当該誘導コイルによる磁場に置き、誘導電圧を発生させることを特徴とする電磁誘導裝置。
【請求項２】
前記送信モジュールと前記受信モジュールはそれぞれ互いに合わせる第一電磁誘導回路と第二電磁誘導回路を備え、当該第二電磁誘導回路は共振検出回路であり、当該共振検出回路のインダクタンスは当該誘導コイル又は当該棒磁石から構成されることを特徴とする請求項１に記載の電磁誘導裝置。
【請求項３】
前記送信モジュールは出力周波数が250KHZ〜400KHZであることを特徴とする請求項１に記載の電磁誘導裝置。
【請求項４】
前記送信モジュールは電源と互いに連接される降圧回路と、当該降圧回路の出力端子と互いに連接される第一フィルタ型整流回路と、当該第一フィルタ型整流回路の出力端子と互いに連接される電気振動回路、及び当該電気振動回路の出力端子と互いに連接される第一電磁誘導回路を備え、前記受信モジュールは当該第一電磁誘導回路と互いに合わせて誘導電圧を発生させる第二電磁誘導回路と、当該第二電磁誘導回路と互いに連接される第二フィルタ型整流回路、及び当該第二フィルタ型整流回路の出力端子と互いに連接される定電圧回路を備え、当該定電圧回路の出力端子は負荷と互いに連接され、且つ当該負荷に電力を供給することを特徴とする請求項１に記載の電磁誘導裝置。
【請求項５】
前記第一筐体には凹溝が凹設され、当該凹溝の溝底に保護棒が凸設され、当該保護棒が中空であり、且つ前記棒磁石が当該保護棒に内設され、前記第二筐体には当該保護棒の当該凹溝と凹凸を組合せるためのリング状保護カバーが設けられ、当該保護棒が当該リング状保護カバーの中心部に周設され、且つ当該リング状保護カバーは中空オーリングであり、前記誘導コイルが当該リング状保護カバーに内設され、且つ当該中心部を纏着することを特徴とする請求項１に記載の電磁誘導裝置。
【請求項６】
前記第一筐体にはリング状保護カバーが設けられ、当該リング状保護カバーは中空オーリングであり、前記誘導コイルが当該リング状保護カバーに内設され、且つ当該中心部に纏着され、前記第二筐体には当該リング状保護カバーの当該中心部に入れ、且つ当該リング状保護カバーと互いに組合わせる保護棒が設けられ、当該保護棒が中空であり、且つ前記棒磁石が当該保護棒に内設されることを特徴とする請求項１に記載の電磁誘導裝置。
【請求項７】
前記第一筐体には保護棒が凸設され、当該保護棒が中空であり、且つ前記棒磁石が当該保護棒に内設され、前記第二筐体には当該保護棒と組合せるための凹溝が内向きに形成され、前記誘導コイルが当該第二筐体に内設され、且つ当該凹溝を纏着することを特徴とする請求項１に記載の電磁誘導裝置。
【請求項８】
電気製品の充電に用いられる充電器において、充電台と、請求項1〜7のいずれか一つに記載の電磁誘導装置とを備え、当該充電台には外部電源入力端子が設けられ、前記送信モジュールは当該充電台の筐体の中に設けられ、且つ当該電源入力端子と連接され、前記受信モジュールは当該電気製品の筐体の中に設けられ、且つ当該電気製品の充電式電池と連接されることを特徴とする電磁誘導充電器。
【請求項９】
充電台と、照明灯と、請求項1〜7のいずれか一つに記載の電磁誘導装置とを備え、当該充電台には外部電源入力端子が設けられ、当該照明灯の筐体の中に充電式電池、センサー、照明制御回路、及び照明回路が設けられ、前記送信モジュールは当該充電台の筐体の中に設けられ、且つ当該電源入力端子と連接され、前記受信モジュールは当該照明灯の筐体の中に設けられ、且つ当該照明灯の当該充電式電池と互いに連接され、当該充電式電池は当該照明回路と互いに連接されて、当該照明回路に電源を供給し、当該照明制御回路は当該センサーの信号によって当該照明回路のスイッチを制御することを特徴とする電磁誘導非常灯。
【請求項１０】
前記受信モジュールの出力端子は更に前記照明回路と互いに連接されることを特徴とする請求項９に記載の電磁誘導非常灯。
【考案の詳細な説明】
【技術分野】
【０００１】
本考案は電磁誘導装置に関し、特に体積が小さく、コストの低い電磁誘導装置とそれに対応する電磁誘導充電器及び電磁誘導灯に関するものである。
【背景技術】
【０００２】
現代文明の発展につれ、電気製品（たとえば懐中電灯、小型扇風機、電気カミソリ、ランプ、ヘッドライト、キャンプランタンのようなもの）が現代生活に欠かせない存在のようになりつつあり、これらの製品を使用する際には、頻繁に使用すること又は使用場所の制限によって、常に充電する必要がある。従来の充電方式というと、2種類あるが、一つは電池を電気製品につけたままデータ転送ケーブルによって電気製品と充電コンセントを連接させて充電するものである。もう一つは、電池を電気製品から取外して充電器に付けて充電するものである。前者の方法では、データ転送ケーブルを用いなければ充電できないので、充電するたびにデータ転送ケーブルの一端を電気製品に接続し充電が完了したら取外す必要がある。このため、使い勝手が悪くなったり、ショートが常に発生したり、コンセントが位置ずれたりするので、充電が不安定になったり、電気製品に損害を与える恐れがある。また、非常灯やキャンプランタンなどの電気製品については、これらの製品が常に充電状態に保つので、使用する際に使用者が時間通りに製品を充電台から取り外しし損なうことがある。そこで、非接触充電式の充電装置を開発した技術者がいる。
【考案の概要】
【考案が解決しようとする課題】
【０００３】
一方、米国特許US2010/0066251に示すように、非常灯用の充電装置が開示されている。当該充電装置は、充電台と、当該充電台に設けられる送信モジュールと、当該非常灯の筐体の中に設けられる受信モジュールを備え、当該送信モジュールの出力端子に位置する大誘導コイルは当該受信モジュールの入力端子に位置する小誘導コイルの外に周設され、稼働の際に前記送信モジュールの出力端子に位置する大誘導コイルによってコンセントから入力される電気を磁気に変え、当該受信モジュールの入力端子に位置する小誘導コイルが当該磁気を誘導電圧に変えることで、当該非常灯の充電式電池に充電を行う。しかしながら、前記充電装置は電磁誘導部が小誘導コイルと、当該小誘導コイルの外に周設される大誘導コイルから構成されるため、誘導コイルのサイズが大きすぎて、銅線の使用量が多く、重量が重く、コストが高くなる。したがって、電磁誘導部は体積が大きくて小型製品に詰め込むことができなくなる。
【０００４】
そこで、上記欠点を有効的に解決できる電磁誘導充電器を提供する必要がある。
【課題を解決するための手段】
【０００５】
本考案は、このような従来の問題点に鑑みなされたもので、小体積、軽重量、及び低コストの小型電磁誘導装置を提供することを目的とする。
【０００６】
本考案のもう一つの目的は小体積、軽重量、及び低コストの小型電磁誘導充電器を提供することにある。
【０００７】
本考案の更にもう一つの目的は小体積、軽重量、及び低コストの小型電磁誘導非常灯を提供することにある。
【０００８】
上記目的を達成するために、本考案は電磁誘導裝置を提供する。本考案の電磁誘導裝置は懐中電灯、小型扇風機、電気カミソリ、ランプ、ヘッドライト、キャンプランタンなどの電気製品の電力供給及び充電に用いられる電磁誘導裝置において、送信モジュールと、受信モジュールを備え、当該送信モジュール及び当該受信モジュールはそれぞれ独立した第一筐体及び第二筐体に内設され、当該送信モジュールの出力端子と当該受信モジュールの入力端子にはそれぞれ対応する誘導コイルと棒磁石が設けられ、当該第一筐体と当該第二筐体は凹凸の組み合わせによって当該棒磁石を当該誘導コイルに入れることで、当該受信モジュールの当該誘導コイル又は棒磁石を、当該送信モジュールの当該棒磁石又は当該誘導コイルによる磁場に置き、且つ誘導電圧を発生させることを要旨とする。また、当該送信モジュールが当該第一筐体に設けられると同時に、当該受信モジュールが当該第二筐体の中に設けられるが、逆もまた然りである。当該誘導コイルが当該送信モジュールの出力端子に設けられると同時に、当該棒磁石が当該受信モジュールの入力端子に設けられるが、逆もまた然りである。
【０００９】
本考案では、前記送信モジュールと前記受信モジュールはそれぞれ互いに合わせる第一電磁誘導回路と第二電磁誘導回路を備え、当該第二電磁誘導回路は共振検出回路であり、当該共振検出回路のインダクタンスは当該誘導コイル又は当該棒磁石から構成されることが好ましい。本考案では、磁気共振方式が採用されるため、当該受信モジュールの高効率化が実現する。
【００１０】
本考案では、前記送信モジュールは出力周波数が250KHZ〜400KHZであることが好ましい。従来の電磁誘導装置より出力周波数を従来の150KHZから250KHZ〜400KHZまで引き上げることで、誘導コイルと棒磁石との間の効率の向上につながる。
【００１１】
本考案では、前記送信モジュールは電源と互いに連接される降圧回路と、当該降圧回路の出力端子と互いに連接される第一フィルタ型整流回路と、当該第一フィルタ型整流回路の出力端子と互いに連接される電気振動回路、及び当該電気振動回路の出力端子と互いに連接される第一電磁誘導回路を備え、前記受信モジュールは当該第一電磁誘導回路と互いに合わせて誘導電圧を発生させる第二電磁誘導回路と、当該第二電磁誘導回路と互いに連接される第二フィルタ型整流回路、及び当該第二フィルタ型整流回路の出力端子と互いに連接される定電圧回路を備え、当該定電圧回路の出力端子は負荷と互いに連接され、且つ当該負荷に電力を供給することが好ましい。これにより、本考案では、非接触式で当該負荷に安定して電力を提供することが可能である。
【００１２】
本考案の第一の好ましい実施の形態において、前記第一筐体には凹溝が凹設され、当該凹溝の溝底に保護棒が凸設され、当該保護棒が中空であり、且つ前記棒磁石が当該保護棒に内設され、前記第二筐体には当該保護棒の当該凹溝との凹凸を組合せるためのリング状保護カバーが設けられ、当該保護棒が当該リング状保護カバーの中心部に周設され、且つ当該リング状保護カバーは中空オーリングであり、前記誘導コイルが当該リング状保護カバーに内設され、且つ当該中心部を纏着することが好ましい。
【００１３】
本考案の第二の好ましい実施の形態において、前記第一筐体にはリング状保護カバーが設けられ、当該リング状保護カバーは中空オーリングであり、前記誘導コイルが当該リング状保護カバーに内設され、且つ当該中心部に纏着され、前記第二筐体には当該リング状保護カバーの当該中心部に入れ、且つ当該リング状保護カバーと互いに組合わせる保護棒が設けられ、当該保護棒が中空であり、且つ前記棒磁石が当該保護棒に内設されることが好ましい。
【００１４】
本考案の第三の好ましい実施の形態において、前記第一筐体には保護棒が凸設され、当該保護棒が中空であり、且つ前記棒磁石が当該保護棒に内設され、前記第二筐体には当該保護棒と組合せるための凹溝が内向きに形成され、前記誘導コイルが当該第二筐体に内設され、且つ当該凹溝を纏着することが好ましい。
【００１５】
従来の技術より本考案の電磁誘導装置は、互いに合わせる誘導コイルと棒磁石から構成される電磁誘導方式が採用され、且つ当該棒磁石が当該誘導コイルに挿入されるため、誘導コイル及び棒磁石におけるコイルの大きさ及び銅線の使用量が減少することで、製品の電磁誘導装置の小体積、軽重量、低コストにつながる。
【００１６】
本考案は、更に電磁誘導充電器を提供する。本考案の電磁誘導充電器は電気製品（懐中電灯、小型扇風機、電気カミソリ、ランプ、ヘッドライト、キャンプランタンなど）の充電式電池の充電に用いられる充電器において、充電台と、前記電磁誘導装置とを備え、当該充電台には外部電源入力端子が設けられ、前記送信モジュールは当該充電台の筐体の中に設けられ、且つ当該電源入力端子と連接され、前記受信モジュールは当該電気製品の筐体の中に設けられ、且つ当該電気製品の充電式電池と連接され、当該送信モジュールの出力端子と当該受信モジュールの入力端子にはそれぞれ対応する誘導コイルと棒磁石が設けられ、当該充電座の筐体と当該電気製品の筐体は凹凸の組み合わせによって当該棒磁石を当該誘導コイルに入れることで、当該受信モジュールの当該誘導コイル又は棒磁石を、当該送信モジュールの当該棒磁石又は当該誘導コイルによる磁場に置き、且つ誘導電圧を発生させることを要旨とする。本考案では、当該送信モジュールが外部電源からの電気を磁気に変え、当該受信モジュールが当該磁気による誘導電圧を当該充電式電池に充電を行うことが好ましい。また、本考案では、電源入力端子は当該充電座に凸設される電源プラグ又はUSB接続ロであることが好ましい。当該充電台の筐体と当該電気製品の筐体はそれぞれ当該電磁誘導装置の前記第一筐体と前記第二筐体を構成する。
【００１７】
本考案では、前記送信モジュールと前記受信モジュールはそれぞれ互いに合わせる第一電磁誘導回路と第二電磁誘導回路を備え、当該第二電磁誘導回路は共振検出回路であり、当該共振検出回路のインダクタンスは当該誘導コイル又は当該棒磁石から構成されることが好ましい。本考案では、磁気共振方式が採用されるため、当該受信モジュールの高効率化が実現する。
【００１８】
本考案では、前記送信モジュールは出力周波数が250KHZ〜400KHZであることが好ましい。従来の電磁誘導装置より出力周波数を250KHZ〜400KHZまで引き上げることで、誘導コイルと棒磁石との間の効率の向上につながる。
【００１９】
本考案では、前記送信モジュールは電源入力端子と互いに連接される降圧回路と、当該降圧回路の出力端子と互いに連接される第一フィルタ型整流回路と、当該第一フィルタ型整流回路の出力端子と互いに連接される電気振動回路、及び当該電気振動回路の出力端子と互いに連接される第一電磁誘導回路を備え、前記受信モジュールは当該第一電磁誘導回路と互いに合わせて誘導電圧を発生させる第二電磁誘導回路と、当該第二電磁誘導回路と互いに連接される第二フィルタ型整流回路、及び当該第二フィルタ型整流回路の出力端子と互いに連接される定電圧回路を備え、当該定電圧回路の出力端子は前記充電式電池と互いに連接されることが好ましい。
【００２０】
本考案の第一の好ましい実施の形態において、前記充電台の筐体には凹溝が凹設され、当該凹溝の溝底に保護棒が凸設され、当該保護棒が中空であり、且つ前記棒磁石が当該保護棒に内設され、前記電気製品の筐体には当該保護棒の当該凹溝との凹凸を組合せるためのリング状保護カバーが設けられ、当該保護棒が当該リング状保護カバーの中心部に周設され、且つ当該リング状保護カバーは中空オーリングであり、前記誘導コイルが当該リング状保護カバーに内設され、且つ当該中心部を纏着することが好ましい。また、当該保護棒が当該凹溝の中心に凸設されることが好ましい。なお、当該保護棒の凸設される当該凹溝は当該電気製品の筐体に設けられ、当該リング状保護カバーはそれに対応して当該充電台の筐体に設けられることが好ましい。
【００２１】
本考案の第二の好ましい実施の形態において、前記充電台の筐体にはリング状保護カバーが設けられ、当該リング状保護カバーは中空オーリングであり、前記誘導コイルが当該リング状保護カバーに内設され、且つ当該中心部に纏着され、前記電気製品の筐体には当該リング状保護カバーの当該中心部に入れ、且つ当該リング状保護カバーと互いに組合わせる保護棒が設けられ、当該保護棒が中空であり、且つ前記棒磁石が当該保護棒に内設されることが好ましい。また、当該リング状保護カバーが当該電気製品の筐体に設けられ、当該保護棒がそれに対応して当該充電台の筐体に設けられることが好ましい。
【００２２】
本考案の第三の好ましい実施の形態において、前記充電台の筐体には保護棒が凸設され、当該保護棒が中空であり、且つ前記棒磁石が当該保護棒に内設され、前記電気製品の筐体は中空であり、且つ当該電気製品の筐体には当該保護棒と組合せるための凹溝が内向きに形成され、前記誘導コイルが当該電気製品の筐体に内設され、且つ当該凹溝を纏着することが好ましい。また、当該保護棒が当該電気製品の筐体に凸設され、当該凹溝がそれに対応して当該充電台に設けられることが好ましい。
【００２３】
従来の技術より本考案の電磁誘導充電器は、互いに合わせる誘導コイルと棒磁石から構成される電磁誘導方式が採用され、且つ当該棒磁石が当該誘導コイルに挿入されるため、誘導コイル及び棒磁石におけるコイルの大きさ及び銅線の使用量が減少することで、製品の電磁誘導装置の小体積、軽重量、低コストにつながる。
【００２４】
本考案は更に電磁誘導非常灯を提供する。本考案の電磁誘導非常灯は充電台と、照明灯と、前記電磁誘導装置とを備え、当該充電台には外部電源入力端子が設けられ、当該照明灯の筐体の中に充電式電池、センサー、照明制御回路、及び照明回路が設けられ、前記送信モジュールは当該充電台の筐体の中に設けられ、且つ当該電源入力端子と連接され、前記受信モジュールは当該照明灯の筐体の中に設けられ、且つ当該照明灯の当該充電式電池と互いに連接され、当該充電式電池は当該照明回路と互いに連接され、且つ当該照明回路に電源を供給し、当該照明制御回路は当該センサーの信号によって当該照明回路のスイッチを制御し、当該送信モジュールの出力端子と当該受信モジュールの入力端子にはそれぞれ対応する誘導コイルと棒磁石が設けられ、当該充電座の筐体と当該照明灯の筐体は凹凸の組み合わせによって当該棒磁石を当該誘導コイルに入れることで、当該受信モジュールの当該誘導コイル又は棒磁石を、当該送信モジュールの当該棒磁石又は当該誘導コイルによる磁場に置き、且つ誘導電圧を発生させることを要旨とする。本考案では、当該送信モジュールが外部電源からの電気を磁気に変えて、当該受信モジュールが当該磁気による誘導電圧を当該充電式電池に充電を行うことが好ましい。また、本考案では、電源入力端子は当該充電座に凸設される電源プラグ又はUSB接続ロであることが好ましい。当該充電台の筐体と当該電磁誘導非常灯の筐体はそれぞれ当該電磁誘導装置の前記第一筐体と前記第二筐体を構成する。
【００２５】
本考案では、前記受信モジュールは出力端子が更に前記照明回路と互いに連接されることが好ましい。これにより、本考案では、前記電磁誘導装置が充電式電池に充電を行い、若しくは直接に当該照明回路に電力を供給することが可能である。
【００２６】
本考案では、前記送信モジュールと前記受信モジュールはそれぞれ互いに合わせる第一電磁誘導回路と第二電磁誘導回路を備え、当該第二電磁誘導回路は共振検出回路であり、当該共振検出回路のインダクタンスは当該誘導コイル又は当該棒磁石から構成されることが好ましい。本考案では、磁気共振方式が採用されるため、当該受信モジュールの高効率化が実現する。
【００２７】
本考案では、前記送信モジュールは出力周波数が250KHZ〜400KHZであることが好ましい。従来の電磁誘導装置より出力周波数を250KHZ〜400KHZまで引き上げることで、誘導コイルと棒磁石との間の効率の向上につながる。
【００２８】
本考案では、前記送信モジュールは電源入力端子と互いに連接される降圧回路と、当該降圧回路の出力端子と互いに連接される第一フィルタ型整流回路と、当該第一フィルタ型整流回路の出力端子と互いに連接される電気振動回路、及び当該電気振動回路の出力端子と互いに連接される第一電磁誘導回路を備え、前記受信モジュールは当該第一電磁誘導回路と互いに合わせて誘導電圧を発生させる第二電磁誘導回路と、当該第二電磁誘導回路と互いに連接される第二フィルタ型整流回路、及び当該第二フィルタ型整流回路の出力端子と互いに連接される定電圧回路を備え、当該定電圧回路の出力端子は当該充電式電池と互いに連接されることが好ましい。
【００２９】
本考案の第一の好ましい実施の形態において、前記充電台の筐体には凹溝が凹設され、当該凹溝の溝底に保護棒が凸設され、当該保護棒が中空であり、且つ前記棒磁石が当該保護棒に内設され、前記照明灯の筐体には当該保護棒の当該凹溝との凹凸を組合せるためのリング状保護カバーが設けられ、当該保護棒が当該リング状カバーの中心部に周設され、且つ当該リング状保護カバーは中空オーリングであり、前記誘導コイルが当該リング状保護カバーに内設され、且つ当該中心部を纏着することが好ましい。また、当該保護棒が当該凹溝の中心に凸設されることが好ましい。なお、当該保護棒の凸設される当該凹溝は当該照明灯の筐体に設けられ、当該リング状保護カバーはそれに対応して当該充電台の筐体に設けられることが好ましい。
【００３０】
本考案の第二の好ましい実施の形態において、前記充電台の筐体にはリング状保護カバーが設けられ、当該リング状保護カバーは中空オーリングであり、前記誘導コイルが当該リング状保護カバーに内設され、且つ当該中心部に纏着され、前記照明灯の筐体には当該リング状保護カバーの当該中心部に入れ、且つ当該リング状保護カバーと互いに組合わせる保護棒が設けられ、当該保護棒が中空であり、且つ前記棒磁石が当該保護棒に内設されることが好ましい。また、当該リング状保護カバーが当該照明灯の筐体に設けられ、当該保護棒がそれに対応して当該充電台の筐体に設けられることが好ましい。
【００３１】
本考案の第三の好ましい実施の形態において、前記充電台の筐体には保護棒が凸設され、当該保護棒が中空であり、且つ前記棒磁石が当該保護棒に内設され、前記照明灯の筐体は中空であり、且つ当該照明灯の筐体には当該保護棒と組合せるための凹溝が内向きに形成され、前記誘導コイルが当該照明灯の筐体に内設され、且つ当該凹溝を纏着することが好ましい。また、当該保護棒が当該照明灯の筐体に凸設され、当該凹溝がそれに対応して当該充電台に設けられることが好ましい。
【考案の効果】
【００３２】
従来の技術より本考案の電磁誘導非常灯は、互いに合わせる誘導コイルと棒磁石から構成される電磁誘導方式が採用され、且つ当該棒磁石が当該誘導コイルに挿入されるため、誘導コイル及び棒磁石におけるコイルの大きさ及び銅線の使用量が減少することで、製品の電磁誘導装置の小体積、軽重量、低コストにつながる。
【図面の簡単な説明】
【００３３】
【図１ａ】本考案に係る電磁誘導装置の構造を示すブロック図
【図１ｂ】本考案に係る電磁誘導装置の誘導部分の構造を示す説明図
【図１ｃ】本考案に係る電磁誘導装置の誘導部分のもう一つの構造を示す説明図
【図２】本考案に係る照明灯の構造を示すブロック図
【図３】本考案の第一の実施の形態に係る電磁誘導非常灯の構造を示す説明図
【図４】本考案の第一の実施の形態に係る照明灯を示す断面図
【図５】本考案の第一の実施の形態に係る充電台を示す断面図
【図６】本考案の第二の実施の形態に係る電磁誘導非常灯の構造を示す説明図
【図７】本考案の第二の実施の形態に係る照明灯を示す断面図
【図８】本考案の第二の実施の形態に係る充電台を示す断面図
【図９】本考案の第三の実施の形態に係る電磁誘導非常灯の構造を示す説明図
【図１０】本考案の第三の実施の形態に係る照明灯を示す断面図
【図１１】本考案の第三の実施の形態に係る充電台を示す断面図
【考案を実施するための形態】
【００３４】
以下、本考案の好ましい実施の形態及び図面を以って、本考案に係る技術内容、構造、目的、及び効果を詳しく説明する。
【００３５】
図1a乃至図1cをご参照ください。図1a乃至図1cに示すように、本考案の電磁誘導装置10は、懐中電灯、小型扇風機、電気カミソリ、ランプ、ヘッドライト、キャンプランタンなどの電気製品の電力供給及び充電に用いられる電磁誘導裝置であり、当該電磁誘導裝置10は、第一筐体102、102'に設けられる送信モジュール11と、第二筐体103、103'に設けられる受信モジュール12を備え、当該第一筐体102、102'と当該第二筐体103、103'にはそれぞれ凹凸の組み合わせの互いに対応する凹溝と凸物体が設けられ、当該送信モジュール11の出力端子と当該受信モジュール12の入力端子はそれぞれ対応する誘導コイル104と棒磁石105が設けられることを特徴とする。また、当該電磁誘導裝置10を電気製品の電力供給及び充電に使用する際に、当該第一筐体102、102'が充電台の筐体に相当し、当該第二筐体103、103'が電気製品の筐体に相当する。
【００３６】
図1bをご参照ください。図lbに示すように、本考案では、前記誘導コイル104が前記第一筐体102の凹溝に周設されて、前記送信モジュール11の出力端子が構成され、前記棒磁石105が前記第二筐体103の凸物体の中に設けられて、前記受信モジュール12の入力端子が構成される。当該凸物体を当該凹溝に入れ当該第一筐体102と当該第二筐体103との凹凸の組合せによって、当該棒磁石105を当該誘導コイル104に入れることで、当該受信モジュール12の当該誘導コイル104を、当該送信モジュール11の当該棒磁石105による磁場に置き、誘導電圧を発生させる。
【００３７】
図1cをご参照ください。図1cに示すように本考案のもう一つの実施の形態では、前記棒磁石105が前記第一筐体102'の凸物体の中に設けられて、前記送信モジュール11の出力端子が構成され、前記誘導コイル104が前記第二筐体103'の凹溝に周設されて、前記受信モジュール12の入力端子が構成される。当該凸物体を当該凹溝に入れ当該第一筐体102'と当該第二筐体103'との凹凸の組合せによって、当該棒磁石105を当該誘導コイル104に入れることで、当該受信モジュール12の当該棒磁石105を、当該送信モジュール11の当該誘導コイル104による磁場に置き、且つ誘導電圧を発生させる。
【００３８】
図1aをご参照ください。図1aに示すように、本考案では、前記送信モジュール11は電源入力端子22と互いに連接される降圧回路111と、当該降圧回路111の出力端子と互いに連接される第一フィルタ型整流回路112と、当該第一フィルタ型整流回路112の出力端子と互いに連接される電気振動回路113、及び当該電気振動回路113の出力端子と互いに連接される第一電磁誘導回路114を備え、前記受信モジュール12は当該第一電磁誘導回路114と互いに合わせて誘導電圧を発生させる第二電磁誘導回路121と、当該第二電磁誘導回路121と互いに連接される第二フィルタ型整流回路122、及び当該第二フィルタ型整流回路122の出力端子と互いに連接される定電圧回路123を備え、当該定電圧回路123の出力端子は負荷106と互いに連接される。
【００３９】
本考案の好ましい実施の形態では、前記第二電磁誘導回路121は共振検出回路であり、当該共振検出回路のインダクタンスは当該誘導コイル104又は当該棒磁石105から構成される。前記送信モジュール11は出力周波数が250KHZ〜400KHZである。
【００４０】
図2乃至図11をご参照ください。図面に示すように、本考案は電磁誘導非常灯100を開示する。本考案の電磁誘導非常灯100は充電台20（20a、20b）と、照明灯30（30a、30b）と、前記電磁誘導装置10とを備え、当該充電台20（20a、20b）には外部電源入力端子22が設けられ、当該照明灯30（30a、30b）の筐体301の中に充電式電池133、センサー134、照明制御回路131、及び照明回路132が設けられ、当該電磁誘導装置10の前記送信モジュール11は当該充電台20（20a、20b）の筐体201の中に設けられ、且つ当該電源入力端子22と連接され、当該電磁誘導装置10の前記受信モジュール12は当該照明灯30の筐体301の中に設けられ、且つ当該照明灯30の当該充電式電池131と互いに連接され、当該充電式電池133は当該照明回路132と互いに連接されて、当該照明回路132に電源を供給し、当該照明制御回路131は当該センサー134の信号によって当該照明回路132のスイッチを制御し、当該送信モジュール11の出力端子と当該受信モジュール12の入力端子にはそれぞれ対応する誘導コイル104と棒磁石105が設けられ、当該充電座の筐体201と当該照明灯の筐体301は凹凸の組み合わせによって当該棒磁石105を当該誘導コイル104に入れることで、当該受信モジュール12の当該誘導コイル104又は棒磁石105を、当該送信モジュール11の当該棒磁石105又は当該誘導コイル104による磁場に置き、誘導電圧を発生させることを要旨とする。また、本考案では、当該誘導コイル104が当該充電台の筐体201に設けられると同時に、当該棒磁石105が当該送信モジュール11の当該棒磁石105に設けられるが、逆もまた然りである。
【００４１】
図3乃至図5をご参照ください。図面に示すように本考案の第一の実施の形態に係る電磁誘導非常灯100を開示する。本考案では、前記充電台20の筐体201には凹溝211が凹設され、当該凹溝211の溝底に保護棒212が凸設され、当該保護棒212が中空であり、且つ前記棒磁石105が当該保護棒212に内設され、前記照明灯30の筐体301には当該保護棒212の当該凹溝211と凹凸を組合せるためのリング状保護カバー31が設けられ、当該保護棒31が当該リング状保護カバー31の中心部312に周設され、且つ当該リング状保護カバー31は中空オーリング311であり、前記誘導コイル104が当該リング状保護カバー31の当該オーリング311に内設され、且つ当該中心部312を纏着する。また、当該保護棒212が当該凹溝211の中心に凸設される。
【００４２】
図6乃至図8をご参照ください。図面に示すように本考案の第二の実施の形態に係る電磁誘導非常灯100を開示する。本考案では、前記充電台20aの筐体201にはリング状保護カバー21aが設けられ、当該リング状保護カバー21aは中空オーリング211aであり、前記誘導コイル104が当該リング状保護カバー21aの当該オーリング211aに内設され、且つ当該中心部212aに纏着され、前記照明灯30の筐体301には当該リング状保護カバー21aの当該中心部212aに入れ、且つ当該リング状保護カバー21aと互いに組合わせる保護棒31aが設けられ、当該保護棒31aが中空であり、且つ前記棒磁石105が当該保護棒31aに内設される。
【００４３】
図9乃至図11をご参照ください。図面に示すように本考案の第三の実施の形態に係る電磁誘導非常灯100を開示する。本考案では、前記充電台20bの筐体201には保護棒21bが凸設され、当該保護棒21bが中空であり、且つ前記棒磁石105が当該保護棒21bに内設され、前記照明灯30の筐体301は中空であり、且つ当該照明灯30の筐体301には当該保護棒21bと組合せるための凹溝31bが内向きに形成され、前記誘導コイル104が当該照明灯30の筐体301に内設され、且つ当該凹溝31bを纏着する。
【００４４】
また、本考案は前記電磁誘導非常灯100の前記充電式電池133に充電を行う電磁誘導充電器を開示する。図2乃至図11をご参照ください。図面に示すように本考案の電磁誘導充電器は充電台20（20a、20b）と、照明灯30（30a、30b）と、前記電磁誘導装置10とを備え、当該充電台20、20a、20bには外部電源入力端子22が設けられ、当該電磁誘導装置10の前記送信モジュール11は当該充電台20、20a、20bの筐体201の中に設けられ、且つ当該電源入力端子22と連接され、当該電磁誘導装置10の前記受信モジュール12は当該電磁誘導非常灯100の前記照明灯30、30a、30bの筐体301の中に設けられ、且つ当該充電式電池133と連接される。もちろん、本考案の電磁誘導充電器は懐中電灯、小型扇風機、電気カミソリ、ランプ、ヘッドライト、キャンプランタンなどの電気製品に充電を行うことが可能である。
【００４５】
上述の説明から、本考案は電磁誘導装置10及びそれを用いる電磁誘導充電器と電磁誘導非常灯100を開示する。また、本考案では、誘導部分が互いに合わせる前記誘導コイル104と前記棒磁石105から構成されるため、当該誘導コイル104及び当該棒磁石105における銅線の大きさ及使用量が減少することで、製品の電磁誘導装置10及び電磁誘導非常灯100の小体積、軽重量、低コストにつながる。一方、本考案では、電磁誘導装置10の誘導部分の振動周波数を高めることで、電磁誘導効率の向上につながる。更に、本考案では、磁気共振方式が採用されるため、前記受信モジュール12の高効率化を実現し必要としない消耗を軽減する。
【００４６】
なお、上述では本考案の好ましい実施例を開示したに過ぎず、それを以って、本考案の実用新案登録請求の範囲が制限されることは無く、本考案の思想を逸脱することなく本考案の技術案に対する改造やそれと同じ置き換えを行っても、それはすべて本考案の範囲に含まれるものである。
【図１ａ】
0003195251.tif 000003
【図１ｂ】
0003195251.tif 000004
【図１ｃ】
0003195251.tif 000005
【図２】
0003195251.tif 000006
【図３】
0003195251.tif 000007
【図４】
0003195251.tif 000008
【図５】
0003195251.tif 000009
【図６】
0003195251.tif 000010
【図７】
0003195251.tif 000011
【図８】
0003195251.tif 000012
【図９】
0003195251.tif 000013
【図１０】
0003195251.tif 000014
【図１１】
0003195251.tif 000015